【手続補正書】
【提出日】平成17年2月16日(2005.2.16)
【手続補正１】
【補正対象書類名】明細書
【補正対象項目名】特許請求の範囲
【補正方法】変更
【補正の内容】
【特許請求の範囲】
【請求項１】
同一対象に関する階調数の異なる複数の階調データを読み込む階調データ読込手段と、読み込んだ複数の階調データを送信するデータ送信手段と、を有する階調データ送信装置。
【請求項２】
請求項１記載の階調データ送信装置において、さらに、読み込んだ複数の階調データを同一対象ごとに一組にまとめる同一対象データ結合手段を設けた階調データ送信装置。
【請求項３】
請求項１または請求項２記載の階調データ送信装置において、さらに、テキストデータを読み込むテキストデータ読込手段を設け、前記階調データ読込手段が前記テキストデータを構成する各文字を前記同一対象とし、前記データ送信手段が、読み込んだテキストデータも共に送信する階調データ送信装置。
【請求項４】
同一対象に関する階調数の異なる複数の階調データを読み込む階調データ読込手段と、読み込んだ複数の階調データに関する属性情報を取得する属性情報取得手段と、読み込んだ複数の階調データ及び取得した属性情報を送信用データとして出力する送信データ出力手段とを有する送信用階調データ生成装置。
【請求項５】
請求項４記載の送信用階調データ生成装置において、さらに、読み込んだ複数の階調データのそれぞれに対応する属性情報を付加する属性情報付加手段を設けた送信用階調データ生成装置。
【請求項６】
同一の対象に関する階調数の異なる複数の階調データを読み込む階調データ読込手段と、読み込んだ複数の階調データを同一対象ごとに一組にまとめる同一対象データ結合手段と、一組にまとめた階調データを送信用データとして出力する送信データ出力手段とを有する送信用階調データ生成装置。
【請求項７】
前記同一対象データ結合手段が、同一対象に関する階調データを連結することにより階調データを一組にまとめる請求項６記載の送信用階調データ生成装置。
【請求項８】
前記同一対象データ結合手段が、各階調データの階調数に関する一定の基準に従った順番で複数の階調データを連結する請求項７記載の送信用階調データ生成装置。
【請求項９】
テキストデータを読み込むテキストデータ読込手段と、テキストデータを構成する各文字に関する階調数の異なる複数の階調データを読み込む階調データ読込手段と、読み込んだ複数の階調データ及びテキストデータを送信用データとして出力する送信データ出力手段とを有する送信用階調データ生成装置。
【請求項１０】
同一対象に関する階調数の異なる複数の階調データを受信して出力する階調データ受信装置であって、前記出力対象に応じて前記複数の階調データの中から抽出すべき階調データを抽出階調データとして決定する抽出階調データ選定手段と、決定された抽出階調データを抽出する階調データ抽出手段と、抽出された階調データを前記出力対象へ出力する階調データ出力手段とを有する階調データ受信装置。
【請求項１１】
前記抽出階調データ選定手段は、前記出力対象が処理できる最適の階調数を最適階調数と定める最適階調決定手段と、前記複数の階調データの階調数を解析する階調データ解析手段と、前記階調データ解析手段による解析結果に基づき、前記複数の階調データの中から前記最適階調数を有する階調データを検索し抽出階調データとして決定する抽出階調データ決定手段とを含む請求項１０に記載の階調データ受信装置。
【請求項１２】
前記複数の階調データの他に、各階調データの階調数に関する属性情報も送信される場合に、前記階調データ解析手段が前記属性情報に基づいて、前記複数の階調データの階調数を解析する請求項１１に記載の階調データ受信装置。
【請求項１３】
前記複数の階調データが、各階調データの階調数に関する一定の基準に従った順番で連結されている場合に、前記階調データ抽出手段が、前記基準を手掛かりに階調データを抽出する請求項１０から１２の何れか１項記載の階調データ受信装置。
【請求項１４】
前記抽出階調データ決定手段が、受信した階調データの中に、前記最適階調数を有する階調データが存在しない場合には、受信した階調データの内、前記最適階調数を越えない階調数を有する階調データを抽出階調データとして決定する請求項１１から１３の何れか１項記載の階調データ受信装置。
【請求項１５】
前記同一の対象がテキストデータを構成する各文字であり、このテキストデータも送信される場合に、前記階調データ出力手段が、テキストデータに従って、各文字に関する階調データを出力する請求項１０から１４の何れか１項記載の階調データ受信装置。
【請求項１６】
同一対象に関する複数の階調データを読み込む複数階調データ読込ステップと、読み込んだ階調データを送信する階調データ送信ステップとを有する階調データ送信方法。
【請求項１７】
同一対象に関する階調数の異なる複数の階調データを読み込む階調データ読込ステップと、読み込んだ複数の階調データに関する属性情報を取得する属性情報取得ステップと、読み込んだ複数の階調データ及び取得した属性情報を送信用データとして出力する送信データ出力ステップとを有する送信用階調データ生成方法。
【請求項１８】
同一の対象に関する階調数の異なる複数の階調データを受信して出力対象に出力する階調データ受信方法であって、前記出力対象に応じて前記複数の階調データの中から抽出すべき階調データを抽出階調データとして決定する抽出階調データ選定ステップと、決定された抽出階調データを抽出する階調データ抽出ステップと、抽出された階調データを出力対象に出力する階調データ出力ステップとを有する階調データ受信方法。
【請求項１９】
コンピュータに請求項１６に記載の階調データ送信方法を実行させるプログラムを記録したコンピュータで読み出し可能な記録媒体。
【請求項２０】
コンピュータに請求項１７に記載の送信用階調データ生成方法を実行させるプログラムを記録したコンピュータで読み出し可能な記録媒体。
【請求項２１】
コンピュータに請求項１８に記載の階調データ受信方法を実行させるプログラムを記録したコンピュータで読み出し可能な記録媒体。
【手続補正２】
【補正対象書類名】明細書
【補正対象項目名】００１６
【補正方法】変更
【補正の内容】
【００１６】
この送信用階調データ生成装置には、読み込んだ複数の階調データのそれぞれに対応する属性情報を付加する属性情報付加手段を設けることができる。
さらに、上記課題を解決するために、本発明に係る送信用階調データ生成装置は同一の対象に関する階調数の異なる複数の階調データを読み込む階調データ読込手段と、読み込んだ複数の階調データを同一対象ごとに一組にまとめる同一対象データ結合手段と、一組にまとめた階調データを送信用データとして出力する送信データ出力手段とを有するものである。
【手続補正３】
【補正対象書類名】明細書
【補正対象項目名】００１７
【補正方法】変更
【補正の内容】
【００１７】
上記同一対象結合手段においては、同一対象に関する階調データを連結することにより階調データを一組にまとめることができ、この連結は、各階調データの階調数に関する一定の基準に従った順番で行うことが望ましい。
【手続補正４】
【補正対象書類名】明細書
【補正対象項目名】００２１
【補正方法】変更
【補正の内容】
【００２１】
また、前記複数の階調データの他に、各階調データの階調数に関する属性情報も送信される場合には、前記階調データ解析手段を前記属性情報に基づいて、前記複数の階調データの階調数を解析するようにすることが望ましい。
【手続補正５】
【補正対象書類名】明細書
【補正対象項目名】００２２
【補正方法】変更
【補正の内容】
【００２２】
それから、前記複数の階調データが、各階調データの階調数に関する一定の基準に従った順番で連結されている場合には、前記階調データ抽出手段は、前記基準を手掛かりに階調データを抽出するようにすると効果的である。
また、上記階調データ受信装置において、前記抽出階調データ決定手段は、受信した階調データの中に、前記最適階調数を有する階調データが存在しない場合には、受信した階調データの内、前記最適階調数を越えない階調数を有する階調データを抽出階調データとして決定するようにすることができる。
【手続補正６】
【補正対象書類名】明細書
【補正対象項目名】００２３
【補正方法】削除
【補正の内容】
【手続補正７】
【補正対象書類名】明細書
【補正対象項目名】００２４
【補正方法】変更
【補正の内容】
【００２４】
さらに、前記同一の対象がテキストデータを構成する各文字であり、このテキストデータも送信される場合には、上記階調データ受信装置において、前記階調データ出力手段を、テキストデータに従って、各文字に関する階調データを出力するようにすると好適である。
【手続補正８】
【補正対象書類名】明細書
【補正対象項目名】００２５
【補正方法】変更
【補正の内容】
【００２５】
さらに、上記課題を解決するために、本発明に係る階調データ送信方法においては、同一対象に関する複数の階調データを読み込む複数階調データ読込ステップと、読み込んだ階調データを送信する階調データ送信ステップとを有するものである。
【手続補正９】
【補正対象書類名】明細書
【補正対象項目名】００２６
【補正方法】変更
【補正の内容】
【００２６】
さらに、本発明に係る送信用階調データ生成方法は、同一対象に関する階調数の異なる複数の階調データを読み込む階調データ読込ステップと、読み込んだ複数の階調データに関する属性情報を取得する属性情報取得ステップと、読み込んだ複数の階調データ及び取得した属性情報を送信用データとして出力する送信データ出力ステップとを有するものである。
【手続補正１０】
【補正対象書類名】明細書
【補正対象項目名】００２７
【補正方法】削除
【補正の内容】
【手続補正１１】
【補正対象書類名】明細書
【補正対象項目名】００２８
【補正方法】削除
【補正の内容】
【手続補正１２】
【補正対象書類名】明細書
【補正対象項目名】００２９
【補正方法】削除
【補正の内容】
【手続補正１３】
【補正対象書類名】明細書
【補正対象項目名】００３０
【補正方法】削除
【補正の内容】
【手続補正１４】
【補正対象書類名】明細書
【補正対象項目名】００３２
【補正方法】削除
【補正の内容】
【手続補正１５】
【補正対象書類名】明細書
【補正対象項目名】００３３
【補正方法】削除
【補正の内容】
【手続補正１６】
【補正対象書類名】明細書
【補正対象項目名】００３５
【補正方法】削除
【補正の内容】
【手続補正１７】
【補正対象書類名】明細書
【補正対象項目名】００３６
【補正方法】削除
【補正の内容】
【手続補正１８】
【補正対象書類名】明細書
【補正対象項目名】０１６８
【補正方法】変更
【補正の内容】
【０１６８】
かかる動作によって、受信側の処理対象の能力に応じた最適な階調数の階調データを抽出して、この受信側の能力を十分に活かすことができ、また、データの品位の低下を防ぐことができる。
それから、上記の階調データ送信方法、送信用階調データ生成方法、階調データ受信方法をコンピュータにより実行させるプログラムをコンピュータ読み出し可能な記録媒体に記録すれば、一般的なコンピュータにこの記録媒体を用いて当該プログラムを組み込む用にすれば、上記の階調データ送信装置、送信用階調データ生成装置、階調データ受信装置を容易に実現することが可能となる。
なお、本発明には、以下の内容が含まれる。
（１）同一対象に関する階調数の異なる複数の階調データを読み込む階調データ読込手段と、読み込んだ複数の階調データを送信するデータ送信手段と、を有する階調データ送信装置。
（２）（１）記載の階調データ送信装置において、さらに、読み込んだ複数の階調データを同一対象ごとに一組にまとめる同一対象データ結合手段を設けた階調データ送信装置。
（３）前記同一対象データ結合手段が、同一対象に関する階調データを連結することにより階調データを一組にまとめる（２）記載の階調データ送信装置。
（４）前記同一対象データ結合手段が、同一対象に関する階調データに対してリンク情報を付加することにより階調データを一組にまとめる（２）記載の階調データ送信装置。
（５）（１）から（４）の何れか１項記載の階調データ送信装置において、さらに、テキストデータを読み込むテキストデータ読込手段を設け、前記階調データ読込手段が前記テキストデータを構成する各文字を前記同一対象とし、前記データ送信手段が、読み込んだテキストデータも共に送信する  階調データ送信装置。
（６）同一対象に関する階調数の異なる複数の階調データを読み込む階調データ読込手段と、読み込んだ複数の階調データに関する属性情報を取得する属性情報取得手段と、読み込んだ複数の階調データ及び取得した属性情報を送信用データとして出力する送信データ出力手段とを有する送信用階調データ生成装置。
（７）（６）記載の送信用階調データ生成装置において、さらに、読み込んだ複数の階調データのそれぞれに対応する属性情報を付加する属性情報付加手段を設けた送信用階調データ生成装置。
（８）（６）記載の送信用階調データ生成装置において、さらに、取得した属性情報を結合したものをリスト情報として生成するリスト情報生成手段を設けた送信用階調データ生成装置。
（９）同一の対象に関する階調数の異なる複数の階調データを読み込む階調データ読込手段と、読み込んだ複数の階調データを同一対象ごとに一組にまとめる同一対象データ結合手段と、一組にまとめた階調データを送信用データとして出力する送信データ出力手段とを有する送信用階調データ生成装置。
（１０）前記同一対象データ結合手段が、同一対象に関する階調データを連結することにより階調データを一組にまとめる（９）記載の送信用階調データ生成装置。
（１１）前記同一対象データ結合手段が、各階調データの階調数に関する一定の基準に従った順番で複数の階調データを連結する（１０）記載の送信用階調データ生成装置。
（１２）前記同一対象データ結合手段が、同一対象に関する階調データに対してリンク情報を付加することにより階調データを一組にまとめる（９）記載の送信用階調データ生成装置。
（１３）テキストデータを読み込むテキストデータ読込手段と、テキストデータを構成する各文字に関する階調数の異なる複数の階調データを読み込む階調データ読込手段と、読み込んだ複数の階調データ及びテキストデータを送信用データとして出力する送信データ出力手段とを有する送信用階調データ生成装置。
（１４）同一対象に関する階調数の異なる複数の階調データを受信して出力する階調データ受信装置であって、前記出力対象に応じて前記複数の階調データの中から抽出すべき階調データを抽出階調データとして決定する抽出階調データ選定手段と、決定された抽出階調データを抽出する階調データ抽出手段と、抽出された階調データを前記出力対象へ出力する階調データ出力手段とを有する階調データ受信装置。
（１５）前記抽出階調データ選定手段は、前記出力対象が処理できる最適の階調数を最適階調数と定める最適階調決定手段と、前記複数の階調データの階調数を解析する階調データ解析手段と、前記階調データ解析手段による解析結果に基づき、前記複数の階調データの中から前記最適階調数を有する階調データを検索し抽出階調データとして決定する抽出階調データ決定手段とを含む（１４）に記載の階調データ受信装置。
（１６）前記複数の階調データの他に、各階調データの階調数に関する属性情報も送信される場合に、前記階調データ解析手段が前記属性情報に基づいて、前記複数の階調データの階調数を解析する（１５）に記載の階調データ受信装置。
（１７）前記属性情報が前記複数の階調データのそれぞれに付加されている場合に、前記階調データ解析手段が受信した階調データごとに付加された属性情報に基づいて、前記複数の階調データの階調数を解析する（１６）記載のデータ受信装置。
（１８）前記属性情報が結合したリスト情報を形成している場合に、前記階調データ解析手段が前記リスト情報に基づいて、前記複数の階調データの階調数を解析する（１６）記載の階調データ受信装置。
（１９）前記複数の階調データが、各階調データの階調数に関する一定の基準に従った順番で連結されている場合に、前記階調データ抽出手段が、前記基準を手掛かりに階調データを抽出する請求項（１４）から（１８）の何れか１項記載の階調データ受信装置。
（２０）前記抽出階調データ決定手段が、受信した階調データの中に、前記最適階調数を有する階調データが存在しない場合には、受信した階調データの内、前記最適階調数を越えない階調数を有する階調データを抽出階調データとして決定する（１５）から（１９）の何れか１項記載の階調データ受信装置。
（２１）前記抽出階調データ決定手段が、受信した階調データの中に、前記最適階調数を有する階調データが存在しない場合には、前記最適階調数を越えない最大の階調数を有する階調データを抽出階調データとして決定する（２０）記載の階調データ受信装置。
（２２）（１５）から（１９）の何れか１項記載の階調データ受信装置において、前記抽出階調データ決定手段が、受信した階調データの中に、前記最適階調数を有する階調データが存在しない場合には、一定の基準に基づいて一つの階調データを抽出階調データとして決定し、さらに、階調データ抽出手段が抽出した階調データを前記最適階調数へと変換する階調データ変換手段を設けた階調データ受信装置。
（２３）前記抽出階調データ決定手段が、受信した階調データの中に、前記最適階調数を有する階調データが存在しない場合には、前記最適階調数を越える最小の階調数を有する階調データを抽出階調データとして決定する（２２）記載の階調データ受信装置。
（２４）前記同一の対象がテキストデータを構成する各文字であり、このテキストデータも送信される場合に、前記階調データ出力手段が、テキストデータに従って、各文字に関する階調データを出力する（１４）から（２３）の何れか１項記載の階調データ受信装置。  
（２５）送信装置と受信装置とよりなる階調データ送受信システムであって、前記送信装置が、同一対象に関する階調数の異なる複数の階調データを読み込む階調データ読込手段と、読み込んだ複数の階調データを送信するデータ送信手段と、を有し、前記受信装置が、前記階調データを受信する階調データ受信手段と、階調データを出力対象に出力する階調データ出力手段と、前記出力対象が処理できる最適の階調数を最適階調数と定める最適階調決定手段と、前記複数の階調データの階調数を解析する階調データ解析手段と、前記階調データ解析手段による解析結果に基づき、受信した階調データの中から前記最適階調数を有する階調データを検索し抽出階調データとして決定する抽出階調データ決定手段と、決定された抽出階調データを抽出し、前記階調データ出力手段へ出力する階調データ抽出手段とを有する階調データ送受信システム。
（２６）同一対象に関する複数の階調データを読み込む複数階調データ読込ステップと、読み込んだ階調データを送信する階調データ送信ステップとを有する階調データ送信方法。
（２７）（２６）記載の階調データ送信方法において、さらに、読み込んだ複数の階調データを同一対象ごとに一組にまとめる同一対象データ結合ステップを設けた階調データ送信方法。
（２８）前記同一対象データ結合ステップにおいて、同一対象に関する階調データを連結することにより階調データを一組にまとめる（２７）記載の階調データ送信方法。
（２９）前記同一対象データ結合ステップにおいて、同一対象に関する階調データに対してリンク情報を付加することにより階調データを一組にまとめる（２７）記載の階調データ送信方法。
（３０）（２６）から（２９）の何れか１項記載の階調データ送信方法において、さらに、テキストデータを読み込むテキストデータ読込ステップを設け、前記階調データ読込ステップにおいて、前記テキストデータを構成する各文字を前記同一対象とし、前記データ送信ステップにおいて、読み込んだテキストデータも共に送信する階調データ送信方法。
（３１）同一対象に関する階調数の異なる複数の階調データを読み込む階調データ読込ステップと、読み込んだ複数の階調データに関する属性情報を取得する属性情報取得ステップと、読み込んだ複数の階調データ及び取得した属性情報を送信用データとして出力する送信データ出力ステップとを有する送信用階調データ生成方法。
（３２）（３１）記載の送信用階調データ生成方法において、さらに、読み込んだ複数の階調データのそれぞれに対応する属性情報を付加する属性情報付加ステップを設けた送信用階調データ生成方法。
（３３）（３１）記載の送信用階調データ生成方法において、さらに、取得した属性情報を結合してリスト情報とするリスト情報生成ステップを設けた送信用階調データ生成方法。
（３４）同一の対象に関する階調数の異なる複数の階調データを読み込む階調データ読込ステップと、読み込んだ複数の階調データを同一対象ごとに一組にまとめる同一対象データ結合ステップと、一組にまとめた階調データを送信用データとして出力する送信データ出力ステップとを有する送信用階調データ生成方法。
（３５）前記同一対象データ結合ステップにおいて、同一対象に関する階調データを連結することにより階調データを一組にまとめる（３４）記載の送信用階調データ生成方法。
（３６）前記同一対象データ結合ステップにおいて、各階調データの階調数に関する一定の基準に従った順番で複数の階調データを連結する（３５）記載の送信用階調データ生成方法。
（３７）前記同一対象データ結合ステップにおいて、同一対象に関する階調データに対してリンク情報を付加することにより階調データを一組にまとめる（３４）記載の送信用階調データ生成方法。
（３８）テキストデータを読み込むテキストデータ読込ステップと、
テキストデータを構成する各文字に関する階調数の異なる複数の階調データを読み込む階調データ読込ステップと、読み込んだ複数の階調データ及びテキストデータを送信用データとして出力する送信データ出力ステップとを有する送信用階調データ生成方法。
（３９）同一の対象に関する階調数の異なる複数の階調データを受信して出力対象に出力する階調データ受信方法であって、前記出力対象に応じて前記複数の階調データの中から抽出すべき階調データを抽出階調データとして決定する抽出階調データ選定ステップと、決定された抽出階調データを抽出する階調データ抽出ステップと、抽出された階調データを出力対象に出力する階調データ出力ステップとを有する階調データ受信方法。
（４０）前記抽出階調データ選定ステップは、前記出力対象が処理できる最適な階調数を最適階調数として定める最適階調数決定ステップと、前記複数の階調データの階調数を解析する階調データ解析ステップと、前記階調データ解析ステップでの解析結果に基づき、前記複数の階調データの中から前記最適階調数を有する階調データを検索し抽出階調データとして決定する抽出階調データ決定ステップとを含む（３９）に記載の階調データ受信方法。
（４１）前記複数の階調データの他に、各階調データの階調数に関する属性情報も送信される場合に、前記階調データ解析ステップにおいて、前記属性情報に基づいて前記複数の階調データの階調数を解析する（４０）に記載の階調データ受信方法。
（４２）前記属性情報が前記複数の階調データのそれぞれに付加されている場合に、前記階調データ解析ステップにおいて、受信した階調データごとに付加された属性情報に基づいて前記複数の階調データの階調数を解析する（４１）記載の階調データ受信方法。
（４３）前記属性情報が結合したリスト情報を形成している場合に、前記階調データ解析ステップにおいて、前記リスト情報に基づいて、受信した階調データの階調数を解析する（４１）記載の階調データ受信方法。
（４４）前記複数の階調データが各階調データの階調数に関する一定の基準に従った順番で連結されている場合に、前記階調データ抽出ステップにおいて、前記基準を手掛かりに階調データを抽出する（３９）から（４３）記載の何れか１項記載の階調データ受信方法。
（４５）前記抽出データ決定ステップにおいて、受信した階調データの中に前記最適階調数を有する階調データが存在しない場合には、前記最適階調数を越えない階調数を有する階調データを抽出階調データとして決定する（４０）から（４４）の何れか１項記載の階調データ受信方法。
（４６）前記抽出データ決定ステップにおいて、受信した階調データの中に前記最適階調数を有する階調データが存在しない場合には、前記最適階調数を越えない最大の階調数を有する階調データを抽出階調データとして決定する（４５）記載の階調データ受信方法。
（４７）（４０）から（４４）の何れか１項記載の階調データ受信方法において、前記抽出階調データ決定ステップにおいて、受信した階調データの中に前記最適階調数を有する階調データが存在しない場合には、一定の基準に基づいて一つの階調データを抽出階調データとして決定し、さらに、階調データ抽出ステップで取得された階調データを前記最適階調数へと変換する階調データ変換ステップを設けた階調データ受信方法。
（４８）前記抽出階調データ決定ステップにおいて、受信した階調データの中に前記最適階調数を有する階調データが存在しない場合には、前記最適階調数を越える最小の階調数を有する階調データを抽出階調データとして決定する（４７）記載の階調データ受信方法。
（４９）前記同一の対象がテキストデータを構成する各文字であり、このテキストデータも送信される場合に、前記階調データ出力ステップにおいて、テキストデータに従って各文字に関する階調データを出力する（３９）から（４８）の何れか１項記載の階調データ受信方法。
（５０）階調データ送信過程と、階調データ受信過程よりなる階調データ送受信方法であって、前記階調データ送信過程が、同一対象に関する複数の階調データを読み込む複数階調データ読込ステップと、読み込んだ階調データを送信する階調データ送信ステップとを有し、前記階調データ受信過程が、前記階調データを受信する階調データ受信ステップと、出力するための最適な階調数を最適階調数として定める最適階調数決定ステップと、前記複数の階調データの階調数を解析する階調データ解析ステップと、前記階調データ解析ステップでの解析結果に基づき、受信した階調データの中から前記最適階調数を有する階調データを検索し抽出階調データとして決定する抽出階調データ決定ステップと、決定された抽出階調データを抽出する階調データ抽出ステップと、抽出された階調データを出力する階調データ出力ステップとを有する階調データ送受信方法。
（５１）コンピュータに（２６）から（３０）に記載の階調データ送信方法を実行させるプログラムを記録したコンピュータで読み出し可能な記録媒体。
（５２）コンピュータに（３１）から（３８）に記載の送信用階調データ生成方法を実行させるプログラムを記録したコンピュータで読み出し可能な記録媒体。  
（５３）コンピュータに（３９）〜（４９）に記載の階調データ受信方法を実行させるプログラムを記録したコンピュータで読み出し可能な記録媒体。